【手続補正書】
【提出日】平成17年8月22日(2005.8.22)
【手続補正１】
【補正対象書類名】明細書
【補正対象項目名】特許請求の範囲
【補正方法】変更
【補正の内容】
【特許請求の範囲】
【請求項１】
少なくとも１列に第１の方向に沿って整列して配置され、各々が所定の機能を実現する複数の機能回路ブロックを備え、前記複数の機能回路ブロックは、前記第１の方向と直交する第２の方向の長さが第１の長さの第１の機能回路ブロックと、前記第２の方向の長さが前記第１の長さよりも長い第２の長さを有しかつ前記第１の機能回路ブロックと隣接して配置される第２の機能回路ブロックとを含み、
前記第１および第２の機能回路ブロックの間に配置される通過配線領域と、
前記通過配線領域に前記第２の方向に沿って配置され、前記第２の機能回路ブロックの前記通過配線領域に対向する部分に接続される通過配線とを備える、半導体集積回路装置。
【請求項２】
少なくとも前記第１および第２の機能回路ブロック上にわたって前記第１の方向に沿って配置され、前記通過配線領域において前記通過配線と接続される接続部を有するセル上配線をさらに備える、請求項１記載の半導体集積回路装置。
【請求項３】
前記通過配線は、前記第２の機能回路ブロックの前記第２の方向において前記第１の機能回路ブロックよりも突出した部分において前記第２の機能回路ブロックに接続される、請求項１記載の半導体集積回路装置。
【請求項４】
前記通過配線は、前記第１および第２の機能回路ブロックが互いに対向する部分において前記第２の機能回路ブロックに接続される、請求項１記載の半導体集積回路装置。
【請求項５】
前記第２の機能回路ブロックが前記第２の方向において前記第１の機能回路ブロックよりも突出する部分を横切るように前記第１の方向に沿って配置される配線をさらに備え、
前記通過配線は前記配線と接続されかつ該接続部で終端する、請求項１記載の半導体集積回路装置。
【請求項６】
前記第１および第２の機能回路ブロックの前記第２の方向に関する外部領域において前記第１の方向に沿って配置される配線をさらに備え、前記通過配線は前記配線と接続されかつ該接続部で終端される、請求項１記載の半導体集積回路装置。
【請求項７】
前記第１および第２の機能回路ブロック上にわたって前記第１の方向に沿って配置されるセル上配線と、
前記通過配線領域内において前記通過配線と前記第２の方向に沿って整列して配置されかつ前記セル上配線と接続されかつ該接続部で終端する第２の通過配線をさらに備える、請求項５または６に記載の半導体集積回路装置。
【請求項８】
第１の方向に沿って少なくとも１列に整列して配置され、各々が所定の機能を実現する複数の機能回路ブロックと、
前記複数の機能回路ブロックの前記第１の方向に沿って隣接する機能回路ブロックの間に配置される通過配線領域と、
前記通過配線領域において前記第１の方向と直交する第２の方向に沿って延在するように配置されかつ前記通過配線領域において前記隣接する機能回路ブロックの一方に接続される通過配線とを備える、半導体集積回路装置。
【請求項９】
前記隣接する機能回路ブロックの他方と前記通過配線領域において接続されかつ前記通過配線の前記通過配線領域において延在する方向と反対の方向に延在しかつ前記通過配線と前記通過配線領域において前記第２の方向に沿って整列して配置される第２の通過配線をさらに備える、請求項８に記載の半導体集積回路装置。
【請求項１０】
第１の方向に沿って、前記第１の方向と直交する第２の方向の長さが第１の長さを有する第１の機能回路ブロックと、前記第１の機能回路ブロックと前記第１の方向において隣接しかつ前記第２の方向の長さが前記第１の長さよりも長い第２の長さを有する第２の機能回路ブロックとを含む複数の機能回路ブロックを少なくとも１列に整列して、機能回路ブロックの間にこれら隣接する機能回路ブロックを分離する通過配線領域を有するように配置するステップと、
前記通過配線領域に前記第２の方向に沿って通過配線を配置するステップと、  前記通過配線を前記通過配線領域において、前記第２の機能回路ブロックの前記通過配線領域に対向する部分に接続するステップとを備える、機能回路ブロックの配置配線方法。
【請求項１１】
少なくとも前記第１および第２の機能回路ブロック上にわたって前記第１の方向に沿って、セル上配線を配置するステップと、
前記通過配線領域において前記通過配線と前記セル上配線とを接続するステップとをさらに備える、請求項１０記載の機能回路ブロックの配置配線方法。
【請求項１２】
前記通過配線を接続するステップは、前記第２の機能回路ブロックの前記第２の方向に沿って前記第１の機能回路ブロックよりも突出した部分において前記第２の機能回路ブロックに前記通過配線を接続するステップを備える、請求項１０記載の機能回路ブロックの配置配線方法。
【請求項１３】
前記通過配線を前記第２の機能回路ブロックに接続するステップは、前記第１および第２の機能回路ブロックが前記通過配線領域を介して互いに対向する部分において前記第２の機能回路ブロックに前記通過配線を接続するステップを含む、請求項１０記載の機能回路ブロックの配置配線方法。
【請求項１４】
前記第２の機能回路ブロックの前記第２の方向において前記第１の機能回路ブロックよりも突出する部分を横切るように、前記第１の方向に沿って配線を配置するステップと、
前記通過配線を前記配線と接続しかつ該接続部で終端するステップとをさらに備える、請求項１０記載の機能回路ブロックの配置配線方法。
【請求項１５】
前記第１および第２の機能回路ブロックの前記第２の方向に沿っての外部領域に、前記第１の方向に沿って配線を配置するステップと、
前記通過配線を前記配線と接続しかつ該接続部で終端するステップとをさらに備える、請求項１１記載の機能回路ブロックの配置配線方法。
【請求項１６】
前記第１および第２の機能回路ブロック上にわたって前記第１の方向に沿ってセル上配線を配置するステップと、
前記通過配線領域内において、前記通過配線と前記第２の方向に沿って整列して、前記セル上配線と接続されかつ該接続部で終端する第２の通過配線を配置するステップとをさらに備える、請求項１４または１５に記載の機能回路ブロックの配置配線方法。
【請求項１７】
各々が所定の機能を実現する複数の機能回路ブロックを第１の方向に沿って少なくとも１列に整列して、かつ前記第１の方向に沿って隣接する機能回路ブロックの間にこれら隣接する機能回路ブロックを分離する通過配線領域が配置されるように配置するステップと、
前記通過配線領域に、前記第１の方向と直交する第２の方向に沿って延在する通過配線を配置するステップと、
前記通過配線領域において、前記通過配線に隣接する機能回路ブロックの一方と前記通過配線領域において接続するステップとを備える、機能回路ブロックの配置配線方法。
【請求項１８】
前記通過配線が前記通過配線領域において延在する方向と反対の方向に延在する第２の通過配線を、前記通過配線と前記通過配線領域において前記第２の方向に沿って整列して配置するステップと、
前記第２の通過配線を前記隣接する機能回路ブロックの前記一方または他方の機能回路ブロックと前記通過配線領域において接続するステップとをさらに備える、請求項１７記載の機能回路ブロックの配置配線方法。
【手続補正２】
【補正対象書類名】明細書
【補正対象項目名】００５６
【補正方法】削除
【補正の内容】
【手続補正３】
【補正対象書類名】明細書
【補正対象項目名】００５７
【補正方法】削除
【補正の内容】
【手続補正４】
【補正対象書類名】明細書
【補正対象項目名】００５８
【補正方法】削除
【補正の内容】
【手続補正５】
【補正対象書類名】明細書
【補正対象項目名】００５９
【補正方法】削除
【補正の内容】
【手続補正６】
【補正対象書類名】明細書
【補正対象項目名】００６０
【補正方法】削除
【補正の内容】
【手続補正７】
【補正対象書類名】明細書
【補正対象項目名】００６１
【補正方法】削除
【補正の内容】
【手続補正８】
【補正対象書類名】明細書
【補正対象項目名】００６２
【補正方法】削除
【補正の内容】
【手続補正９】
【補正対象書類名】明細書
【補正対象項目名】００６３
【補正方法】削除
【補正の内容】
【手続補正１０】
【補正対象書類名】明細書
【補正対象項目名】００６４
【補正方法】削除
【補正の内容】
【手続補正１１】
【補正対象書類名】明細書
【補正対象項目名】００６５
【補正方法】削除
【補正の内容】
【手続補正１２】
【補正対象書類名】明細書
【補正対象項目名】００６６
【補正方法】削除
【補正の内容】
【手続補正１３】
【補正対象書類名】明細書
【補正対象項目名】００６７
【補正方法】削除
【補正の内容】
【手続補正１４】
【補正対象書類名】明細書
【補正対象項目名】００６８
【補正方法】削除
【補正の内容】
【手続補正１５】
【補正対象書類名】明細書
【補正対象項目名】００６９
【補正方法】削除
【補正の内容】
【手続補正１６】
【補正対象書類名】明細書
【補正対象項目名】００７０
【補正方法】削除
【補正の内容】
【手続補正１７】
【補正対象書類名】明細書
【補正対象項目名】００７１
【補正方法】削除
【補正の内容】
【手続補正１８】
【補正対象書類名】明細書
【補正対象項目名】００７２
【補正方法】削除
【補正の内容】
【手続補正１９】
【補正対象書類名】明細書
【補正対象項目名】００７３
【補正方法】変更
【補正の内容】
【００７３】
【課題を解決するための手段】
請求項１に係る半導体集積回路装置は、第１の方向に沿って少なくとも１列に整列して配置され、各々が所定の機能を実現する複数の機能回路ブロックを含む。これら複数の機能回路ブロックは、第１の方向と直交する第２の方向の長さが第１の長さである第１の機能回路ブロックと、第２の方向の長さが第１の長さよりも長い第１の機能回路ブロックと第１の方向に関して隣接して配置される第２の機能回路ブロックとを含む。この請求項１５に係る半導体集積回路装置は、さらに、第１および第２の機能回路ブロックの間に配置される通過配線領域と、この通過配線領域に第２の方向に沿って配置され、第２の機能回路ブロックの通過配線領域に対向する部分に接続する通過配線とを備える。
【手続補正２０】
【補正対象書類名】明細書
【補正対象項目名】００７４
【補正方法】変更
【補正の内容】
【００７４】
請求項２に係る半導体集積回路装置は、請求項１の装置が、さらに、少なくとも第１および第２の機能回路ブロック上にわたって第１の方向に沿って配置され、通過配線領域において通過配線と接続される接続部分を有するセル上配線を備える。
【手続補正２１】
【補正対象書類名】明細書
【補正対象項目名】００７５
【補正方法】変更
【補正の内容】
【００７５】
請求項３に係る半導体集積回路装置は、請求項１の装置の通過配線が、第２の機能回路ブロックの第２の方向に沿って第１の機能回路ブロックよりも突出した部分において第２の機能回路ブロックに接続する。
【手続補正２２】
【補正対象書類名】明細書
【補正対象項目名】００７６
【補正方法】変更
【補正の内容】
【００７６】
請求項４に係る半導体集積回路装置は、請求項１の装置の通過配線が、第１および第２の機能回路ブロックが互いに対向する部分において第２の機能回路ブロックに接続する。
【手続補正２３】
【補正対象書類名】明細書
【補正対象項目名】００７７
【補正方法】変更
【補正の内容】
【００７７】
請求項５に係る半導体集積回路装置は、請求項１の装置が、さらに、第２の機能回路ブロックの第２の方向において第１の機能回路ブロックよりも突出する部分を横切るように第１の方向に沿って配置される配線をさらに備える。通過配線は、この配線と接続されかつ該接続部で終端される。
【手続補正２４】
【補正対象書類名】明細書
【補正対象項目名】００７８
【補正方法】変更
【補正の内容】
【００７８】
請求項６に係る半導体集積回路装置は、請求項１の装置が、さらに、第１および第２の機能回路ブロックの第２の方向に沿っての外部領域に第１の方向に沿って配置される配線をさらに備える。通過配線はこの配線と接続されかつその接続部で終端される。
【手続補正２５】
【補正対象書類名】明細書
【補正対象項目名】００７９
【補正方法】変更
【補正の内容】
【００７９】
請求項７に係る半導体集積回路装置は、請求項５または６の装置がさらに、第１および第２の機能回路ブロック上にわたって第１の方向に沿って配置されるセル上配線と、通過配線領域内においてこの通過配線と第２の方向に沿って整列して配置されかつセル上配線と接続されかつこの接続部で終端する第２の通過配線を備える。
【手続補正２６】
【補正対象書類名】明細書
【補正対象項目名】００８０
【補正方法】変更
【補正の内容】
【００８０】
請求項８に係る半導体集積回路装置は、第１の方向に沿って少なくとも１列に整列して配置され、各々が所定の機能を実現する複数の機能回路ブロックと、これら複数の機能回路ブロックの第１の方向に沿って隣接する機能回路ブロックの間に配置される通過配線領域と、この通過配線領域に、第１の方向と直交する第２の方向に沿って延在するように配置されかつ隣接する機能回路ブロックの一方とこの通過配線領域において接続される通過配線とを備える。
【手続補正２７】
【補正対象書類名】明細書
【補正対象項目名】００８１
【補正方法】変更
【補正の内容】
【００８１】
請求項９に係る半導体集積回路装置は、請求項８の装置がさらに、隣接する機能回路ブロックの他方と通過配線領域において接続されかつ通過配線の通過配線領域において延在する方向と反対の方向に延在しかつ通過配線と通過配線領域において第２の方向に沿って整列して配置される第２の通過配線を備える。
【手続補正２８】
【補正対象書類名】明細書
【補正対象項目名】００８２
【補正方法】削除
【補正の内容】
【手続補正２９】
【補正対象書類名】明細書
【補正対象項目名】００８３
【補正方法】削除
【補正の内容】
【手続補正３０】
【補正対象書類名】明細書
【補正対象項目名】００８４
【補正方法】削除
【補正の内容】
【手続補正３１】
【補正対象書類名】明細書
【補正対象項目名】００８５
【補正方法】削除
【補正の内容】
【手続補正３２】
【補正対象書類名】明細書
【補正対象項目名】００８６
【補正方法】削除
【補正の内容】
【手続補正３３】
【補正対象書類名】明細書
【補正対象項目名】００８７
【補正方法】削除
【補正の内容】
【手続補正３４】
【補正対象書類名】明細書
【補正対象項目名】００８８
【補正方法】削除
【補正の内容】
【手続補正３５】
【補正対象書類名】明細書
【補正対象項目名】００８９
【補正方法】削除
【補正の内容】
【手続補正３６】
【補正対象書類名】明細書
【補正対象項目名】００９０
【補正方法】削除
【補正の内容】
【手続補正３７】
【補正対象書類名】明細書
【補正対象項目名】００９１
【補正方法】削除
【補正の内容】
【手続補正３８】
【補正対象書類名】明細書
【補正対象項目名】００９２
【補正方法】削除
【補正の内容】
【手続補正３９】
【補正対象書類名】明細書
【補正対象項目名】００９３
【補正方法】削除
【補正の内容】
【手続補正４０】
【補正対象書類名】明細書
【補正対象項目名】００９４
【補正方法】削除
【補正の内容】
【手続補正４１】
【補正対象書類名】明細書
【補正対象項目名】００９５
【補正方法】変更
【補正の内容】
【００９５】
請求項１０に係る機能回路ブロックの配置配線方法は、少なくとも１列に第１の方向に沿って整列して各々が所定の機能を実現する複数の機能回路ブロックを配置するステップを備える。この複数の機能回路ブロックを配置するステップは、第１の方向と直交する第２の方向の長さが第１の長さである第１の機能回路ブロックと、この第２の方向の長さが第１の長さよりも長い第２の長さを有する第２の機能回路ブロックを第１の方向について隣接してかつ整列して配置するステップを含む。隣接する機能回路ブロックの間には、これら隣接する機能回路ブロックを分離する通過配線領域が配置される。この請求項３７の方法は、さらに、通過配線領域に第２の方向に沿って延在する通過配線を配置し、この通過配線を第２の機能回路ブロックの通過配線領域に対向する部分に接続するステップとを備える。
【手続補正４２】
【補正対象書類名】明細書
【補正対象項目名】００９６
【補正方法】変更
【補正の内容】
【００９６】
請求項１１に係る機能回路ブロックの配置配線方法は、請求項１０の方法がさらに、少なくとも第１および第２の機能回路ブロック上にわたって第１の方向に沿ってセル上配線を配置するステップと、このセル上配線と通過配線とを通過配線領域において接続するステップとを備える。
【手続補正４３】
【補正対象書類名】明細書
【補正対象項目名】００９７
【補正方法】変更
【補正の内容】
【００９７】
請求項１２に係る機能回路ブロックの配置配線方法は、請求項１０の通過配線を第２の機能回路ブロックに接続するステップが、この通過配線を第２の機能回路ブロックの第２の方向に沿って第１の機能回路ブロックよりも突出した部分において接続するステップを備える。
【手続補正４４】
【補正対象書類名】明細書
【補正対象項目名】００９８
【補正方法】変更
【補正の内容】
【００９８】
請求項１３に係る機能回路ブロックの配置配線方法は、請求項１０の通過配線を第２の機能回路ブロックに接続するステップが、第１および第２の機能回路ブロックが互いに対向する部分において、通過配線を第２の機能回路ブロックに接続するステップを備える。
【手続補正４５】
【補正対象書類名】明細書
【補正対象項目名】００９９
【補正方法】変更
【補正の内容】
【００９９】
請求項１４に係る機能回路ブロックの配置配線方法は、請求項１０の方法が、第２の機能回路ブロックの第２の方向において第１の機能回路ブロックよりも突出する部分を横切るように第１の方向に沿って配線を配置するステップと、通過配線をこの配線と接続してかつ該接続部で終端するステップを備える。
【手続補正４６】
【補正対象書類名】明細書
【補正対象項目名】０１００
【補正方法】変更
【補正の内容】
【０１００】
請求項１５に係る機能回路ブロックの配置配線方法は、請求項１１の方法がさらに、第１および第２の機能回路ブロックの第２の方向に沿った外部領域において第１の方向に沿って配線を配置するステップと、通過配線をこの配線と接続しかつ該接続部で終端するステップとを備える。
【手続補正４７】
【補正対象書類名】明細書
【補正対象項目名】０１０１
【補正方法】変更
【補正の内容】
【０１０１】
請求項１６に係る機能回路ブロックの配置配線方法は、請求項１４または１５の方法が、さらに、第１および第２の機能回路ブロック上にわたって第１の方向に沿ってセル上配線を配置するステップと、この第２のセル上配線と通過配線領域内で接続されかつそこで終端しかつ通過配線の延在方向と反対方向に延在する第２の通過配線を、通過配線と第２の方向において整列するように配置するステップを備える。
【手続補正４８】
【補正対象書類名】明細書
【補正対象項目名】０１０２
【補正方法】変更
【補正の内容】
【０１０２】
請求項１７に係る機能回路ブロックの配置配線方法は、各々が所定の機能を実現する複数の機能回路ブロックを第１の方向に沿って少なくとも１列に整列して、第１の方向に沿って隣接する機能回路ブロックの間にこれら隣接する機能回路ブロックを分離する通過配線領域が配置されるように配置するステップと、この通過配線領域に第１の方向と直交する第２の方向に沿って延在する通過配線を配置するステップと、この通過配線を、この通過配線領域に隣接する機能回路ブロックの一方に通過配線領域において接続するステップとを備える。
【手続補正４９】
【補正対象書類名】明細書
【補正対象項目名】０１０３
【補正方法】変更
【補正の内容】
【０１０３】
請求項１８に係る機能回路ブロックの配置配線方法は、請求項１７の方法がさらに、通過配線領域内において隣接する機能回路ブロックの他方と接続しかつ通過配線の延在する方向と逆の方向に延在する第２の通過配線をこの通過配線と第２の方向に沿って整列して配置するステップを備える。
【手続補正５０】
【補正対象書類名】明細書
【補正対象項目名】０１０４
【補正方法】削除
【補正の内容】
【手続補正５１】
【補正対象書類名】明細書
【補正対象項目名】０１０５
【補正方法】削除
【補正の内容】
【手続補正５２】
【補正対象書類名】明細書
【補正対象項目名】０１０６
【補正方法】削除
【補正の内容】
【手続補正５３】
【補正対象書類名】明細書
【補正対象項目名】０１０７
【補正方法】削除
【補正の内容】
【手続補正５４】
【補正対象書類名】明細書
【補正対象項目名】０１０８
【補正方法】削除
【補正の内容】
【手続補正５５】
【補正対象書類名】明細書
【補正対象項目名】０１０９
【補正方法】削除
【補正の内容】
【手続補正５６】
【補正対象書類名】明細書
【補正対象項目名】０１１０
【補正方法】削除
【補正の内容】
【手続補正５７】
【補正対象書類名】明細書
【補正対象項目名】０１１１
【補正方法】削除
【補正の内容】
【手続補正５８】
【補正対象書類名】明細書
【補正対象項目名】０１１２
【補正方法】削除
【補正の内容】
【手続補正５９】
【補正対象書類名】明細書
【補正対象項目名】０１１３
【補正方法】削除
【補正の内容】
【手続補正６０】
【補正対象書類名】明細書
【補正対象項目名】０１１４
【補正方法】削除
【補正の内容】
【手続補正６１】
【補正対象書類名】明細書
【補正対象項目名】０１１５
【補正方法】削除
【補正の内容】
【手続補正６２】
【補正対象書類名】明細書
【補正対象項目名】０１１６
【補正方法】削除
【補正の内容】
【手続補正６３】
【補正対象書類名】明細書
【補正対象項目名】０１１７
【補正方法】削除
【補正の内容】
【手続補正６４】
【補正対象書類名】明細書
【補正対象項目名】０１１８
【補正方法】削除
【補正の内容】
【手続補正６５】
【補正対象書類名】明細書
【補正対象項目名】０１１９
【補正方法】削除
【補正の内容】
【手続補正６６】
【補正対象書類名】明細書
【補正対象項目名】０１２０
【補正方法】削除
【補正の内容】
【手続補正６７】
【補正対象書類名】明細書
【補正対象項目名】０１２１
【補正方法】削除
【補正の内容】
【手続補正６８】
【補正対象書類名】明細書
【補正対象項目名】０１２２
【補正方法】削除
【補正の内容】
【手続補正６９】
【補正対象書類名】明細書
【補正対象項目名】０１２３
【補正方法】削除
【補正の内容】
【手続補正７０】
【補正対象書類名】明細書
【補正対象項目名】０１２４
【補正方法】削除
【補正の内容】
【手続補正７１】
【補正対象書類名】明細書
【補正対象項目名】０１２５
【補正方法】削除
【補正の内容】
【手続補正７２】
【補正対象書類名】明細書
【補正対象項目名】０１２６
【補正方法】削除
【補正の内容】
【手続補正７３】
【補正対象書類名】明細書
【補正対象項目名】０１２７
【補正方法】変更
【補正の内容】
【０１２７】
【作用】
請求項１に係る装置においては、通過配線は通過配線領域内において隣接する機能回路ブロックに接続されるため、通過配線を機能回路ブロックに接続するため、通過配線を機能回路ブロックに接続するための幹線配線が不要とされ、配線占有面積が低減される。
【手続補正７４】
【補正対象書類名】明細書
【補正対象項目名】０１２８
【補正方法】変更
【補正の内容】
【０１２８】
請求項２に係る装置においては、長さの長い機能回路ブロックの突出した領域上にわたってセル上配線を配置し、かつこのセル上配線を通過配線と通過配線領域において接続しているため、配線占有面積を低減することができる。
【手続補正７５】
【補正対象書類名】明細書
【補正対象項目名】０１２９
【補正方法】変更
【補正の内容】
【０１２９】
請求項３に係る装置においては、通過配線は、機能回路ブロックの突出した領域において機能回路ブロックに接続するため、隣接する短い機能回路ブロックに対するセル上配線が配置されない場合においても、この領域を有効に利用することができ、面積利用効率が改善される。
【手続補正７６】
【補正対象書類名】明細書
【補正対象項目名】０１３０
【補正方法】変更
【補正の内容】
【０１３０】
請求項４に係る装置においては、通過配線は隣接する機能回路ブロックが互いに対向する部分において対応の機能回路ブロックに接続されているため、配線領域に何ら影響を及ぼすことなく通過配線と機能回路ブロックとを接続することができ、応じて配線に必要とされる面積を低減することができる。
【手続補正７７】
【補正対象書類名】明細書
【補正対象項目名】０１３１
【補正方法】変更
【補正の内容】
【０１３１】
請求項５に係る装置においては、さらにこの長い第２の機能回路ブロックの突出した領域上に配線を配置するため、配線を効率的に配置することができ、応じて配線占有面積を低減することができる。
【手続補正７８】
【補正対象書類名】明細書
【補正対象項目名】０１３２
【補正方法】変更
【補正の内容】
【０１３２】
請求項６に係る装置においては、機能回路ブロックに接続する通過配線が、第１および第２の機能回路ブロックの外部に配置された配線と接続され、そこで終端されるため、第２の機能回路ブロックのポートの配置に余裕がない場合においても、通過配線領域に支線配線を配置することができ、応じて支線配線を効率的に配置することができる。
【手続補正７９】
【補正対象書類名】明細書
【補正対象項目名】０１３３
【補正方法】変更
【補正の内容】
【０１３３】
請求項７に係る装置においては、通過配線領域内で終端する第２の通過配線が新たに配置されても、この新たな通過配線に対する余分の通過配線領域が必要とされず、通過配線の占有面積を低減することができる。
【手続補正８０】
【補正対象書類名】明細書
【補正対象項目名】０１３４
【補正方法】変更
【補正の内容】
【０１３４】
請求項８に係る装置においては、通過配線領域と対向する部分において通過配線と機能回路ブロックとを接続する構成としているため、機能回路ブロックのポート接続のために余分の幹線配線および支線配線が必要とされず、配線占有面積が低減される。
【手続補正８１】
【補正対象書類名】明細書
【補正対象項目名】０１３５
【補正方法】変更
【補正の内容】
【０１３５】
請求項９に係る装置においては、通過配線領域において２本のそれぞれ機能回路ブロックに接続する通過配線が整列して配置されるため、通過配線領域の占有面積が低減されるとともに、機能回路ブロックから通過配線を導出するための支線配線および幹線配線が不要とされ、配線占有面積が低減される。
【手続補正８２】
【補正対象書類名】明細書
【補正対象項目名】０１３６
【補正方法】削除
【補正の内容】
【手続補正８３】
【補正対象書類名】明細書
【補正対象項目名】０１３７
【補正方法】削除
【補正の内容】
【手続補正８４】
【補正対象書類名】明細書
【補正対象項目名】０１３８
【補正方法】削除
【補正の内容】
【手続補正８５】
【補正対象書類名】明細書
【補正対象項目名】０１３９
【補正方法】削除
【補正の内容】
【手続補正８６】
【補正対象書類名】明細書
【補正対象項目名】０１４０
【補正方法】削除
【補正の内容】
【手続補正８７】
【補正対象書類名】明細書
【補正対象項目名】０１４１
【補正方法】削除
【補正の内容】
【手続補正８８】
【補正対象書類名】明細書
【補正対象項目名】０１４２
【補正方法】削除
【補正の内容】
【手続補正８９】
【補正対象書類名】明細書
【補正対象項目名】０１４３
【補正方法】削除
【補正の内容】
【手続補正９０】
【補正対象書類名】明細書
【補正対象項目名】０１４４
【補正方法】削除
【補正の内容】
【手続補正９１】
【補正対象書類名】明細書
【補正対象項目名】０１４５
【補正方法】削除
【補正の内容】
【手続補正９２】
【補正対象書類名】明細書
【補正対象項目名】０１４６
【補正方法】削除
【補正の内容】
【手続補正９３】
【補正対象書類名】明細書
【補正対象項目名】０１４７
【補正方法】削除
【補正の内容】
【手続補正９４】
【補正対象書類名】明細書
【補正対象項目名】０１４８
【補正方法】削除
【補正の内容】
【手続補正９５】
【補正対象書類名】明細書
【補正対象項目名】０１４９
【補正方法】変更
【補正の内容】
【０１４９】
請求項１０に係る方法においては、機能回路ブロックに対し、通過配線領域に対向する部分において通過配線と接続するため、通過配線と機能回路ブロックとを接続するための余分の幹線配線および支線配線が不要となり、配線占有面積が低減される。
【手続補正９６】
【補正対象書類名】明細書
【補正対象項目名】０１５０
【補正方法】変更
【補正の内容】
【０１５０】
請求項１１に係る方法においては、機能回路ブロックの整列方向と直交する方向において突出する領域上に配線を配置し、この配線に対し、機能回路ブロックに通過配線領域内において接続する通過配線を接続しているため、通過配線長を短くすることができ、応じて通過配線の浮遊容量を低減することができる。また、配線が機能回路ブロック上にわたって配設されるため、配線占有面積が低減される。
【手続補正９７】
【補正対象書類名】明細書
【補正対象項目名】０１５１
【補正方法】変更
【補正の内容】
【０１５１】
請求項１２に係る方法においては、機能回路ブロックの突出した領域の通過配線領域に対向する部分に通過配線を接続する構成としているため、通過配線と機能回路ブロックとの接続のために余分の幹線配線および支線配線が必要とされず、配線占有面積が低減される。
【手続補正９８】
【補正対象書類名】明細書
【補正対象項目名】０１５２
【補正方法】変更
【補正の内容】
【０１５２】
請求項１３に係る方法においては、機能回路ブロックの隣接した機能回路ブロックと対向する部分において通過配線領域内において通過配線と機能回路ブロックとを接続するため、通過配線と機能回路ブロックとの接続において余分の幹線配線および支線配線が不要となり、配線占有面積が低減される。
【手続補正９９】
【補正対象書類名】明細書
【補正対象項目名】０１５３
【補正方法】変更
【補正の内容】
【０１５３】
請求項１４に係る方法においては、長さの異なる機能回路ブロックにおいて、長い機能回路ブロック上の短い機能回路ブロックよりも突出する領域上に配線を配置しているため、配線領域として、回路セル帯（機能回路ブロック列）配置領域を利用することができ、応じて配線占有面積を低減することができる。
【手続補正１００】
【補正対象書類名】明細書
【補正対象項目名】０１５４
【補正方法】変更
【補正の内容】
【０１５４】
請求項１５に係る方法においては、機能回路ブロック外部に設けられた配線と通過配線領域内において機能回路ブロックと接続する通過配線とを相互接続しているため、効率的な配線レイアウトが実現される。またこの通過配線が延在する領域以外の領域を別の通過配線のために利用することができ、面積利用効率が改善される。
【手続補正１０１】
【補正対象書類名】明細書
【補正対象項目名】０１５５
【補正方法】変更
【補正の内容】
【０１５５】
請求項１６に係る方法においては、この通過配線と整列して、セル上配線と接続する通過配線を配置しているため、２本の通過配線が１本の通過配線のための領域内に配置され、通過配線領域の占有面積が低減される。
【手続補正１０２】
【補正対象書類名】明細書
【補正対象項目名】０１５６
【補正方法】変更
【補正の内容】
【０１５６】
請求項１７に係る方法においては、機能回路ブロックと通過配線とを通過配線領域内で接続しているため、通過配線のための幹線配線および支線配線が不要となり、配線占有面積が低減される。
【手続補正１０３】
【補正対象書類名】明細書
【補正対象項目名】０１５７
【補正方法】変更
【補正の内容】
【０１５７】
請求項１８に係る方法においては、互いに逆方向に延在し、かつ通過配線領域において機能回路ブロックに接続する通過配線を整列して配置しているため、通過配線を配置するための幹線配線および支線配線を不要とでき、配線占有面積が低減される。また、１本の通過配線のために必要とされる領域内に２本の通過配線を配置することができ、通過配線領域占有面積を低減することができる。
【手続補正１０４】
【補正対象書類名】明細書
【補正対象項目名】０１５８
【補正方法】削除
【補正の内容】
【手続補正１０５】
【補正対象書類名】明細書
【補正対象項目名】０１５９
【補正方法】削除
【補正の内容】
【手続補正１０６】
【補正対象書類名】明細書
【補正対象項目名】０１６０
【補正方法】削除
【補正の内容】
【手続補正１０７】
【補正対象書類名】明細書
【補正対象項目名】０１６１
【補正方法】削除
【補正の内容】
【手続補正１０８】
【補正対象書類名】明細書
【補正対象項目名】０１６２
【補正方法】削除
【補正の内容】
【手続補正１０９】
【補正対象書類名】明細書
【補正対象項目名】０１６３
【補正方法】削除
【補正の内容】
【手続補正１１０】
【補正対象書類名】明細書
【補正対象項目名】０１６４
【補正方法】削除
【補正の内容】
【手続補正１１１】
【補正対象書類名】明細書
【補正対象項目名】０１６５
【補正方法】削除
【補正の内容】
【手続補正１１２】
【補正対象書類名】明細書
【補正対象項目名】０１６６
【補正方法】削除
【補正の内容】
【手続補正１１３】
【補正対象書類名】明細書
【補正対象項目名】０４３４
【補正方法】削除
【補正の内容】
【手続補正１１４】
【補正対象書類名】明細書
【補正対象項目名】０４３５
【補正方法】削除
【補正の内容】
【手続補正１１５】
【補正対象書類名】明細書
【補正対象項目名】０４３６
【補正方法】削除
【補正の内容】
【手続補正１１６】
【補正対象書類名】明細書
【補正対象項目名】０４３７
【補正方法】削除
【補正の内容】
【手続補正１１７】
【補正対象書類名】明細書
【補正対象項目名】０４３８
【補正方法】削除
【補正の内容】
【手続補正１１８】
【補正対象書類名】明細書
【補正対象項目名】０４３９
【補正方法】削除
【補正の内容】
【手続補正１１９】
【補正対象書類名】明細書
【補正対象項目名】０４４０
【補正方法】削除
【補正の内容】
【手続補正１２０】
【補正対象書類名】明細書
【補正対象項目名】０４４１
【補正方法】削除
【補正の内容】
【手続補正１２１】
【補正対象書類名】明細書
【補正対象項目名】０４４２
【補正方法】削除
【補正の内容】
【手続補正１２２】
【補正対象書類名】明細書
【補正対象項目名】０４４３
【補正方法】削除
【補正の内容】
【手続補正１２３】
【補正対象書類名】明細書
【補正対象項目名】０４４４
【補正方法】削除
【補正の内容】
【手続補正１２４】
【補正対象書類名】明細書
【補正対象項目名】０４４５
【補正方法】削除
【補正の内容】
【手続補正１２５】
【補正対象書類名】明細書
【補正対象項目名】０４４６
【補正方法】削除
【補正の内容】
【手続補正１２６】
【補正対象書類名】明細書
【補正対象項目名】０４４７
【補正方法】削除
【補正の内容】
【手続補正１２７】
【補正対象書類名】明細書
【補正対象項目名】０４４８
【補正方法】変更
【補正の内容】
【０４４８】
請求項１に係る発明に従えば、互いに長さの異なる機能回路ブロックに対し、この整列方向において突出した領域においてフィードスルーと回路セルとを接続可能としているため、通過配線領域と機能回路ブロックとの接続に別の配線が必要とされず、配線占有面積が低減される。
【手続補正１２８】
【補正対象書類名】明細書
【補正対象項目名】０４４９
【補正方法】変更
【補正の内容】
【０４４９】
請求項２に係る発明に従えば、この請求項１に係る配線をセル上通過配線を配置するように構成しているため、配線占有面積を何ら増加させることなく通過配線と配線とを接続することができる。
【手続補正１２９】
【補正対象書類名】明細書
【補正対象項目名】０４５０
【補正方法】変更
【補正の内容】
【０４５０】
請求項３に係る発明に従えば、機能回路ブロックと通過配線との接続は突出した領域において行なうようにしているため、機能回路ブロックとの接続に別の配線が必要とされず、配線面積が低減される。また、長さの短い機能回路ブロックの整列方向に直交する方向において外部領域に通過配線の接続を設けているため、他の配線に何ら悪影響を及ぼすことなく機能回路ブロックと通過配線との接続を行なうことができる。
【手続補正１３０】
【補正対象書類名】明細書
【補正対象項目名】０４５１
【補正方法】変更
【補正の内容】
【０４５１】
請求項４に係る発明に従えば、通過配線領域内部において機能回路ブロックと通過配線との接続を可能としているため、この機能回路ブロックと通過配線との接続部における内部配線の長さを短くすることができ、通過配線に付随する寄生容量を低減することができる。また、機能回路ブロックの内部構成に合わせて最適位置にポートを配置することができる。
【手続補正１３１】
【補正対象書類名】明細書
【補正対象項目名】０４５２
【補正方法】変更
【補正の内容】
【０４５２】
請求項５に係る発明に従えば、機能回路ブロック上の領域をセル上配線帯と異なる領域において横切るセル通過配線をこの領域で機能回路ブロックに接続する通過配線とを接続しかつそこで終端しているため、通過配線の長さを短くすることができ、この浮遊容量を小さくすることができる。また、通過配線をその接続部で終端しているため、１つの通過配線領域において複数の通過配線を整列して配置させることが可能となり、面積利用効率が改善される。
【手続補正１３２】
【補正対象書類名】明細書
【補正対象項目名】０４５３
【補正方法】変更
【補正の内容】
【０４５３】
請求項６に係る発明に従えば、この長さの長い機能回路ブロックの外部に配置された幹線配線とこの機能回路ブロックに接続する通過配線とを接続しかつその接続部で通過配線を終端しているため、通過配線長さは必要最小限の長さとすることができ、その浮遊容量を低減することができる。また、通過配線の不要部分を除去することにより、別の通過配線と整列して配置することが可能となり、面積利用効率が改善される。
【手続補正１３３】
【補正対象書類名】明細書
【補正対象項目名】０４５４
【補正方法】変更
【補正の内容】
【０４５４】
請求項７に係る発明に従えば、セル上配線に接続されかつそこで終端される別の通過配線がさらに同じ通過配線領域に設けられており、１つの通過配線領域内に複数の通過配線を配置することができ、面積利用効率が改善される。
【手続補正１３４】
【補正対象書類名】明細書
【補正対象項目名】０４５５
【補正方法】変更
【補正の内容】
【０４５５】
請求項８に係る発明に従えば、回路セルの接続ポートを通過配線領域内部においても配置可能としているため、機能回路ブロックの構成に応じて最適な位置にポートを配置することができ、応じて内部配線の長さの低減および通過配線の長さの低減を実現することができ、このポートに付随する寄生容量を低減することができる。
【手続補正１３５】
【補正対象書類名】明細書
【補正対象項目名】０４５６
【補正方法】変更
【補正の内容】
【０４５６】
請求項９に係る発明に従えば、通過配線領域内において回路セルに接続するポートを配置可能としており、かつ互いに逆方向に延在する通過配線が配置されているため、この通過配線が通過配線領域内において終端されない場合においても、整列して配置することが可能となり、通過配線占有面積が低減される。
【手続補正１３６】
【補正対象書類名】明細書
【補正対象項目名】０４５７
【補正方法】削除
【補正の内容】
【手続補正１３７】
【補正対象書類名】明細書
【補正対象項目名】０４５８
【補正方法】削除
【補正の内容】
【手続補正１３８】
【補正対象書類名】明細書
【補正対象項目名】０４５９
【補正方法】削除
【補正の内容】
【手続補正１３９】
【補正対象書類名】明細書
【補正対象項目名】０４６０
【補正方法】削除
【補正の内容】
【手続補正１４０】
【補正対象書類名】明細書
【補正対象項目名】０４６１
【補正方法】削除
【補正の内容】
【手続補正１４１】
【補正対象書類名】明細書
【補正対象項目名】０４６２
【補正方法】削除
【補正の内容】
【手続補正１４２】
【補正対象書類名】明細書
【補正対象項目名】０４６３
【補正方法】削除
【補正の内容】
【手続補正１４３】
【補正対象書類名】明細書
【補正対象項目名】０４６４
【補正方法】削除
【補正の内容】
【手続補正１４４】
【補正対象書類名】明細書
【補正対象項目名】０４６５
【補正方法】削除
【補正の内容】
【手続補正１４５】
【補正対象書類名】明細書
【補正対象項目名】０４６６
【補正方法】削除
【補正の内容】
【手続補正１４６】
【補正対象書類名】明細書
【補正対象項目名】０４６７
【補正方法】削除
【補正の内容】
【手続補正１４７】
【補正対象書類名】明細書
【補正対象項目名】０４６８
【補正方法】削除
【補正の内容】
【手続補正１４８】
【補正対象書類名】明細書
【補正対象項目名】０４６９
【補正方法】削除
【補正の内容】
【手続補正１４９】
【補正対象書類名】明細書
【補正対象項目名】０４７０
【補正方法】変更
【補正の内容】
【０４７０】
請求項１０に係る発明に従えば、互いに長さの異なる機能回路ブロックに対し、この整列方向において突出した領域においてフィードスルーと回路セルとを接続可能としているため、通過配線領域と機能回路ブロックとの接続に別の配線が必要とされず、配線占有面積が低減される。
【手続補正１５０】
【補正対象書類名】明細書
【補正対象項目名】０４７１
【補正方法】変更
【補正の内容】
【０４７１】
請求項１１に係る発明に従えば、この請求項１０に係る通過配線に対してさらにセル上通過配線を配置して接続するように構成しているため、配線占有面積を何ら増加させることなく通過配線と配線とを接続することができる。
【手続補正１５１】
【補正対象書類名】明細書
【補正対象項目名】０４７２
【補正方法】変更
【補正の内容】
【０４７２】
請求項１２に係る発明に従えば、機能回路ブロックと通過配線との接続は突出した領域において行なうようにしているため、機能回路ブロックとの接続に別の配線が必要とされず、配線面積が低減される。また、長さの短い機能回路ブロックの整列方向に直交する方向において外部領域に通過配線の接続を設けているため、他の配線に何ら悪影響を及ぼすことなく機能回路ブロックと通過配線との接続を行なうことができる。
【手続補正１５２】
【補正対象書類名】明細書
【補正対象項目名】０４７３
【補正方法】変更
【補正の内容】
【０４７３】
請求項１３に係る発明に従えば、通過配線領域内部において機能回路ブロックと通過配線との接続を可能としているため、この機能回路ブロックと通過配線との接続部における内部配線の長さを短くすることができ、通過配線に付随する寄生容量を低減することができる。また、機能回路ブロックの内部構成に合わせて最適位置にポートを配置することができる。
【手続補正１５３】
【補正対象書類名】明細書
【補正対象項目名】０４７４
【補正方法】変更
【補正の内容】
【０４７４】
請求項１４に係る発明に従えば、機能回路ブロック上の領域をセル上配線帯と異なる領域において横切るセル通過配線をこの領域で機能回路ブロックに接続する通過配線とを接続しかつそこで終端しているため、通過配線の長さを短くすることができ、この浮遊容量を小さくすることができる。また、通過配線をその接続部で終端しているため、１つの通過配線領域において複数の通過配線を整列して配置させることが可能となり、面積利用効率が改善される。
【手続補正１５４】
【補正対象書類名】明細書
【補正対象項目名】０４７５
【補正方法】変更
【補正の内容】
【０４７５】
請求項１５に係る発明に従えば、この長さの長い機能回路ブロックの外部に配置された幹線配線とこの機能回路ブロックに接続する通過配線とを接続しかつその接続部で通過配線を終端しているため、通過配線長さは必要最小限の長さとすることができ、その浮遊容量を低減することができる。また、通過配線の不要部分を除去することにより、別の通過配線と整列して配置することが可能となり、面積利用効率が改善される。
【手続補正１５５】
【補正対象書類名】明細書
【補正対象項目名】０４７６
【補正方法】変更
【補正の内容】
【０４７６】
請求項１６に係る発明に従えば、セル上配線に接続されかつそこで終端される別の通過配線がさらに同じ通過配線領域に設けられており、１つの通過配線領域内に複数の通過配線を配置することができ、面積利用効率が改善される。
【手続補正１５６】
【補正対象書類名】明細書
【補正対象項目名】０４７７
【補正方法】変更
【補正の内容】
【０４７７】
請求項１７に係る発明に従えば、回路セルの接続ポートを通過配線領域と内部においても配置可能としているため、機能回路ブロックの構成に応じて最適な位置にポートを配置することができ、応じて内部配線の長さの低減および通過配線の長さの低減を実現することができ、このポートに付随する寄生容量を低減することができる。
【手続補正１５７】
【補正対象書類名】明細書
【補正対象項目名】０４７８
【補正方法】変更
【補正の内容】
【０４７８】
請求項１８に係る発明に従えば、通過配線領域内において回路セルに接続するポートを配置可能としており、かつ互いに逆方向に延在する通過配線が配置されているため、この通過配線が通過配線領域内において終端されない場合においても、整列して配置することが可能となり、通過配線占有面積が低減される。
【手続補正１５８】
【補正対象書類名】明細書
【補正対象項目名】０４７９
【補正方法】削除
【補正の内容】
【手続補正１５９】
【補正対象書類名】明細書
【補正対象項目名】０４８０
【補正方法】削除
【補正の内容】
【手続補正１６０】
【補正対象書類名】明細書
【補正対象項目名】０４８１
【補正方法】削除
【補正の内容】
【手続補正１６１】
【補正対象書類名】明細書
【補正対象項目名】０４８２
【補正方法】削除
【補正の内容】
【手続補正１６２】
【補正対象書類名】明細書
【補正対象項目名】０４８３
【補正方法】削除
【補正の内容】
【手続補正１６３】
【補正対象書類名】明細書
【補正対象項目名】０４８４
【補正方法】削除
【補正の内容】
【手続補正１６４】
【補正対象書類名】明細書
【補正対象項目名】０４８５
【補正方法】削除
【補正の内容】
【手続補正１６５】
【補正対象書類名】明細書
【補正対象項目名】０４８６
【補正方法】削除
【補正の内容】
【手続補正１６６】
【補正対象書類名】明細書
【補正対象項目名】０４８７
【補正方法】削除
【補正の内容】
【手続補正１６７】
【補正対象書類名】図面
【補正対象項目名】図４０
【補正方法】変更
【補正の内容】
【図４０】
1996330434.tif 000001